(57)【要約】【課題】アドレスの設定作業を容易とする。【解決手段】照明機器３０−１〜３０−ｎは、照明主操作盤１０からの制御信号に基づき、自装置に記憶されている識別情報を信号線２０とは異なる通信路で送信する。アドレス設定器４０は、照明機器３０−１〜３０−ｎから送信されるそれぞれの識別情報を受信し、入力部４４から入力される照明機器アドレスと上記で受信した識別情報とを対応付けて、照明主操作盤１０へ移行させる。【選択図】図１
2008160787.tif 000002
【特許請求の範囲】
【請求項１】
自装置の識別情報が記憶された識別情報記憶手段と；
照明制御信号を送出する照明主操作盤に信号線を介して接続され、照明主操作盤からの制御信号に基づき識別情報記憶手段に記憶された識別情報を信号線とは異なる通信路で送信する送信手段と；
を具備することを特徴とする照明機器。
【請求項２】
送信手段は、可視光通信による通信路で識別情報を送信することを特徴とする請求項１に記載の照明機器。
【請求項３】
照明機器から送信される照明機器の識別情報を通信路を介して受信する受信手段と；
情報を入力するための入力手段と；
照明主操作盤へ移行可能に照明機器の識別情報と照明機器アドレスとを記憶するアドレス記憶手段と；
入力手段から入力される照明機器アドレスと受信手段が受信した識別情報とを対応付けてアドレス記憶手段に記憶する記憶制御手段と；
を具備することを特徴とするアドレス設定器。
【請求項４】
アドレス記憶手段には、同一の照明制御を行うグループを示すグループ情報を記憶可能であり、
記憶制御手段は、入力手段からの入力に応じて、所要の識別情報にグループ情報を設定して記憶することを特徴とする請求項３に記載のアドレス設定器。
【請求項５】
複数の照明機器の識別情報に対応して同一アドレスを記憶するか又は、識別情報に対応するアドレス以外にグループアドレスを記憶することにより、グループ情報を設定することを特徴とする請求項４に記載のアドレス設定器。
【請求項６】
受信手段は、可視光通信により識別情報を受信することを特徴とする請求項３ないし５のいずれか１項に記載のアドレス設定器。
【請求項７】
照明機器から送信される照明機器の識別情報を通信路を介して受信する受信手段と；
情報を入力するための入力手段と；
受信手段により受信された識別情報またはこの識別情報に対応して入力手段により入力されたアドレスと、入力手段により入力される照明機器の照明制御を行うための照明制御情報とを送信する送信手段と；
を具備することを特徴とするリモコン操作装置。
【請求項８】
請求項３ないし６のいずれか１項に記載のアドレス設定器の構成に加えて、
受信手段により受信された識別情報またはこの識別情報に対応して入力手段により入力されたアドレスと、入力手段により入力される照明機器の照明制御を行うための照明制御情報とを送信する送信手段と
を具備することを特徴とするリモコン操作装置。
【請求項９】
信号線を介して照明制御信号を送出する照明主操作盤と；
請求項１または２に記載の照明機器と；
請求項３ないし６のいずれか１項に記載のアドレス設定器と；
を具備することを特徴とする照明制御システム。
【請求項１０】
更に、請求項７または８に記載のリモコン操作装置を具備することを特徴とする請求項９に記載の照明制御システム。
【発明の詳細な説明】
【技術分野】
【０００１】
この発明は、照明機器の制御を照明主操作盤から行うようにした照明制御システム、この照明制御システムを構成する照明機器、更には、照明主操作盤において照明機器に対する制御を行う場合に用いるアドレスを設定するために用いるアドレス設定器および照明機器の照明制御を行うためのリモコン操作装置に関するものである。
【背景技術】
【０００２】
従来は、照明機器に対する制御を行う制御端末と照明主操作盤とを接続し、照明主操作盤からアドレスにより制御端末を指定し、制御信号を与えるようにしている。この場合において、制御端末のアドレス設定は、制御端末に設けられたディップスイッチを用いて行っている。
【０００３】
しかしながら、誤ったアドレス設定を行った場合に照明器具の反射板等を取り外して内部に設けられた制御端末のディップスイッチを操作する手間が必要である。そこで、照明器具にジャックを設けて、ジャックに設定器のプラグを差し込んで設定器を操作して、上記制御端末のメモリにアドレスを設定するようにしたシステムが特許文献１に記載されている。
【特許文献１】特開平１１−１１１４６８号公報
【発明の開示】
【発明が解決しようとする課題】
【０００４】
上記の特許文献１に記載されたシステムによれば、照明器具の反射板を取り外すなどの手間は不要となるが、設定は個々の照明器具について行う必要があり、煩わしいものであった。また、照明主操作盤に設定されたアドレスと、制御端末に設定されたアドレスの齟齬は実際にシステムを運用して初めて分かるので、不便なものであった。
【０００５】
また、複数の照明機器をひとつあるいはいくつかのグループに分けて照明制御を行うような設定を行う場合にも、実際の照明機器の配置とアドレスとを確認する方法がなく、作業が難しいものであった。更には、照明機器の照明制御を行うためのリモコン操作装置について、制御対象の照明機器とアドレスとを一致させて設定する必要があり、この場合にも簡単な設定が求められる。
【０００６】
本発明は上記のような従来の照明制御システムなどにおける問題点に鑑みてなされたもので、その目的は、アドレスの設定作業が容易となり、また、照明主操作盤に設定されたアドレスと制御端末に設定されたアドレスの齟齬が生じる虞がなく、適切なアドレス設定を可能とする照明機器、アドレス設定器、リモコン操作装置及び照明制御システムを提供することである。
【課題を解決するための手段】
【０００７】
本発明に係る照明機器は、自装置の識別情報が記憶された識別情報記憶手段と；照明制御信号を送出する照明主操作盤に信号線を介して接続され、照明主操作盤からの制御信号に基づき識別情報記憶手段に記憶された識別情報を信号線とは異なる通信路で送信する送信手段と；を具備することを特徴とする。
【０００８】
上記において、識別情報は、製造時に付される製造番号等の照明器に固有の情報である。照明主操作盤からの制御信号は、信号線を介して複数の照明機器に対して一斉に与え得る。この制御信号により照明機器から自装置の識別情報が通信路を介して送信され、受信側において識別情報とアドレスとを対応付けすることができる。信号線とは異なる通信路は非接触通信路であることが好ましく、特に可視光による通信路であることが好適である。
【０００９】
本発明に係る照明機器では、送信手段が、可視光通信による通信路で識別情報を送信することを特徴とする。
【００１０】
本発明に係るアドレス設定器は、照明機器から送信される照明機器の識別情報を通信路を介して受信する受信手段と；情報を入力するための入力手段と；照明主操作盤へ移行可能に照明機器の識別情報と照明機器アドレスとを記憶するアドレス記憶手段と；入力手段から入力される照明機器アドレスと受信手段が受信した識別情報とを対応付けてアドレス記憶手段に記憶する記憶制御手段と；を具備することを特徴とする。
【００１１】
上記において、アドレス記憶手段は着脱可能な不揮発メモリであることを許容する。また、イーサネット（登録商標）などのネットワークを介して照明主操作盤へ移行可能に記憶していることを許容する。入力手段から入力されるアドレスに対するチェック機能、特に二重割り当てなどのチェック機能を有すると好適である。
【００１２】
本発明に係るアドレス設定器は、アドレス記憶手段には、同一の照明制御を行うグループを示すグループ情報を記憶可能であり、記憶制御手段は、入力手段からの入力に応じて、所要の識別情報にグループ情報を設定して記憶することを特徴とする。
【００１３】
本発明に係るアドレス設定器は、複数の照明機器の識別情報に対応して同一アドレスを記憶するか又は、識別情報に対応するアドレス以外にグループアドレスを記憶することにより、グループ情報を設定することを特徴とする。
【００１４】
本発明に係るアドレス設定器では、受信手段は、可視光通信により識別情報を受信することを特徴とする。
【００１５】
本発明に係るリモコン操作装置は、照明機器から送信される照明機器の識別情報を通信路を介して受信する受信手段と；情報を入力するための入力手段と；受信手段により受信された識別情報またはこの識別情報に対応して入力手段により入力されたアドレスと、入力手段により入力される照明機器の照明制御を行うための照明制御情報とを送信する送信手段と；を具備することを特徴とする。
【００１６】
本発明に係るリモコン操作装置は、請求項３ないし６のいずれか１項に記載のアドレス設定器の構成に加えて、受信手段により受信された識別情報またはこの識別情報に対応して入力手段により入力されたアドレスと、入力手段により入力される照明機器の照明制御を行うための照明制御情報とを送信する送信手段と；を具備することを特徴とする。
【００１７】
本発明に係る照明制御システムは、信号線を介して照明制御信号を送出する照明主操作盤と；請求項１または２に記載の照明機器と；請求項３ないし６のいずれか１項に記載のアドレス設定器と；を具備することを特徴とする。
【００１８】
本発明に係る照明制御システムは、更に、請求項７または８に記載のリモコン操作装置を具備することを特徴とする。
【発明の効果】
【００１９】
本発明に係る照明機器は、照明主操作盤からの制御信号に基づき照明制御信号を送出する信号線とは異なる通信路により、識別情報記憶手段に記憶された識別情報を送信するので、この識別情報を受けてアドレスに対応させることができ、照明機器に固有の情報に対しアドレスを一対一に設定可能である。
【００２０】
本発明に係る照明機器では、可視光通信による通信路で識別情報を送信するので、照明機器に有線により接続しなくとも識別情報を送出することができ、便利である。
【００２１】
本発明に係るアドレス設定器は、照明機器の識別情報を通信路を介して受信し、照明主操作盤へ移行可能に照明機器の識別情報と照明機器アドレスとを記憶するので、照明機器の識別情報と照明機器アドレスとの対応付がなされた状態で、照明主操作盤へ移行でき、照明主操作盤に対するアドレス設定を別途行う必要がなく便利である。
【００２２】
本発明に係るアドレス設定器は、アドレス記憶手段には、同一の照明制御を行うグループを示すグループ情報を記憶可能であり、入力手段からの入力に応じて、所要の識別情報にグループ情報を設定して記憶するので、照明機器の識別情報を受信しながらグループにまとめてゆくことができ、グループの設定を適切に行うことができる。
【００２３】
本発明に係るアドレス設定器では、複数の照明機器の識別情報に対応して同一アドレスを記憶するか又は、識別情報に対応するアドレス以外にグループアドレスを記憶することにより、グループ情報を設定するので、照明主操作盤などからアドレスによりグループの照明機器に所要の照明制御を行うことが可能である。
【００２４】
本発明に係るアドレス設定器では、可視光通信により識別情報を信号線とは異なる通信路で受信するので、照明機器に有線により接続しなくとも識別情報を受信することができ、便利である。
【００２５】
本発明に係るリモコン操作装置は、照明機器から送信される照明機器の識別情報を通信路を介して受信し、受信された識別情報またはこの識別情報に対応して入力手段により入力されたアドレスと、入力手段により入力される照明機器の照明制御を行うための照明制御情報とを送信するので、当該リモコン操作装置により照明制御する対象の照明機器を特定することができ、リモコン操作装置と対象の照明機器を明らかにしながら設定が可能である。
【００２６】
本発明に係るリモコン操作装置は、アドレス設定器の構成を有するので、アドレス設定を行いながら照明制御を行い、アドレスの設定が適切であるかを確認することができる。
【００２７】
本発明に係る照明制御システムは、請求項１または２に記載の照明機器と、請求項３ないし６のいずれか１項に記載のアドレス設定器とを備えているので、照明機器の識別情報と照明機器アドレスとの対応付がなされた状態で、照明主操作盤へ移行でき、照明主操作盤に対するアドレス設定を別途行う必要がなく便利である。
【００２８】
本発明に係る照明制御システムは、更に、請求項７または８に記載のリモコン操作装置を具備するので、リモコン操作装置と対象の照明機器を明らかにしながら設定が可能である。
【発明を実施するための最良の形態】
【００２９】
以下、添付図面を参照して本発明に係る照明機器、アドレス設定器及び照明制御システムの実施例を説明する。各図において同一の構成要素には同一の符号を付して重複する説明を省略する。図１は、照明主操作盤と、本発明に係る照明機器とアドレス設定器を用いて構成した照明制御システムの実施例の構成図を示すものである。このシステムでは、照明主操作盤１０に信号線２０が接続され、信号線２０に照明機器３０−１、３０−２、・・・、３０−ｎが接続されている。
【００３０】
照明主操作盤１０は、例えば図２に示されるように構成されている。ＣＰＵ１１にメモリ１２が接続され、ＣＰＵ１１はメモリ１２内のプログラム及びデータを用いて照明機器３０−１〜３０−ｎに対する照明制御を通信部１３を介して行う。この場合、ＣＰＵ１１は、ここでは図示していないが、信号線２０に接続された壁スイッチなどから信号線２０を介して送られる信号を受けて対応する照明器具の制御を行うか、ＣＰＵ１１に接続されている操作入力部１４からの操作情報を受けて対応する照明器具の制御を行う。
【００３１】
ＣＰＵ１１に接続されている表示部１５には、壁スイッチからの信号または操作入力部１４から入力した操作情報などがＣＰＵ１１の制御により表示される。例えば、各照明機器のオンオフ情報等が表示される。メモリ１２には、後に述べる着脱可能メモリ領域１２Ａを追加することが可能に構成されている。ただし、照明主操作盤１０には、操作入力部１４及び表示部１５を含んでいない構成であっても良い。
【００３２】
照明機器３０−１〜３０−ｎは、基本的に同一の構成であり、例えば図３に示すように構成される。信号線２０と接続される通信部３２を介して、ＣＰＵを含む制御部３１が備えられ、制御部３１は通信部３２を介して照明主操作盤１０から送られた自装置宛の照明制御信号を受け取り、蛍光灯などの照明負荷３３に接続された電力制御部３４を制御して照明負荷３３のオンオフ制御や調光制御を行う。電力制御部３４は制御部３１の制御に応じて、ＡＣ電源３５に対しリレーなどでオンオフを行ったり、電力の位相変調などにより調光を行う。
【００３３】
制御部３１には、例えばＬＥＤを含む可視光通信送信器３６が接続されている。可視光通信送信器３６は、照明主操作盤１０からアドレス設定の指示情報が送られた場合に、制御部３１の制御によって、制御部３１内の図示しないメモリ手段に記憶している当該装置に固有の識別情報（例えば、製造時に設定される識別番号）を可視光通信により一定間隔で送出するものである。
【００３４】
＜実施例１＞
本実施例では、上記可視光通信による識別情報を受けてアドレスに対応付けるために、図１に示されるようなアドレス設定器４０が用いられる。アドレス設定器４０は、ＣＰＵを含む制御部４１に、受光素子を含む可視光通信受信器４２、不揮発性の着脱可能メモリ４３、入力部４４、表示部４５が接続された構成を有する。入力部４４は必要な指示や情報を入力するためのキーボードなどから構成され、表示部４５は入力された情報や制御部４１からの指示、更には識別情報とアドレスの対応関係などを表示するものである。
【００３５】
上記のアドレス設定器４０では、着脱可能メモリ４３に例えば図４に示されるように、照明機器３０−１〜３０−ｎの識別情報とアドレス（ここでは実アドレスと標記）とを対応付けたテーブルが作成される。ここで、実アドレスはオペレータ（人）にとって分かりやすいアドレスであり、例えば、部屋番号などと第何列目の照明機器であるかなどを示すように構成される。この場合、まず、照明主操作盤１０において、操作入力部１４からアドレス設定の開始の入力を行うと、これに応じてＣＰＵ１１からアドレス設定指示情報を含む制御信号が通信部１３を介してブロードキャスト（一斉同報）通信により照明機器３０−１〜３０−ｎへ送られる。なお、アドレス設定指示情報は、アドレス設定器４０から照明主操作盤１０に対して送る構成としておいても良い。
【００３６】
ブロードキャスト通信によりアドレス設定指示情報を受けた照明機器３０−１〜３０−ｎの制御部３１は、可視光通信送信器３６を制御して各装置に固有の識別情報を一定間隔で送信する。この識別情報を受けるため、アドレス設定器４０を持ったオペレータが一つの照明機器（例えば３０−１）の直下など、他の照明機器との間で混信が生じ難いエリアへ行き、入力部４４から立ち上げを行うと、例えば、図５に示されるようなフローチャートに基づき識別情報とアドレスの対応関係のテーブルの作成を行うので、この動作を説明する。
【００３７】
可視光通信受信器４２を介して識別情報を取り込み保持すると共に、表示部４５を制御して当該識別情報を表示する（Ｓ１１）。そして、実アドレスの入力を待ち（Ｓ１２）、実アドレスが入力されると、例えば上記識別情報（図４の機器固有の識別番号Ｋ０１２３）と入力された実アドレス（例えば、図４の＃０−１）とを対応付けて表示し（Ｓ１３）、既に着脱可能メモリ４３に記憶されたアドレスとの重複設定を検出する（Ｓ１４）。
【００３８】
上記ステップＳ１４において、重複設定であることが検出されると、表示部４５にエラー表示を行う（Ｓ１５）。このステップＳ１５では、ＣＰＵ４１にアラームブザー等を接続して、これを鳴動させるようにしても良い。ステップＳ１５が終了すると、再度ステップＳ１２へ戻って実アドレスの入力を待つ。
【００３９】
重複なく実アドレスが入力され、ステップＳ１４にてＮＯへ分岐すると、ＯＫの入力がなされたかを検出し（Ｓ１６）、ＯＫの入力があれば、例えば着脱可能メモリ４３の先頭側領域から上記識別情報（機器固有の識別番号Ｋ０１２３）と入力された実アドレス（例えば、＃０−１）とを対応付けて記憶し（Ｓ１７）処理を終了する。この図５に示すフローチャートの処理が全ての照明機器３０−１〜３０−ｎについて行われると、着脱可能メモリ４３には図４に示すように、全ての照明機器３０−１〜３０−ｎの識別情報と入力された各実アドレスとを対応付けて記憶される。
【００４０】
なお、識別情報と実アドレスとの対応関係において、更に付加的な情報を着脱可能メモリ４３に記憶させる構成としても良い。付加的な情報とは、例えば、設定されるフロアの階数や部屋番号等のオペレータが分かりやすい位置情報や照明機器を設置した日付情報である。
【００４１】
このようにして完成されたテーブルを有する着脱可能メモリ４３をアドレス設定器４０から取り出し、図１の着脱可能メモリ領域１２Ａを構成するようにセットし、メモリ１２のデータに追加した状態とする。このように、照明主操作盤１０は、識別情報と各実アドレスを対応付けて管理している。この状態において照明機器３０−１〜３０−ｎのいずれかについてオペレータが照明制御する場合には、照明主操作盤１０の操作入力部１４から人に分かり易い実アドレスまたは位置情報等にて照明機器を指定し、制御内容を入力することになる。
【００４２】
実アドレス及び制御内容の情報を受けたＣＰＵ１１は着脱可能メモリ領域１２Ａに設定された図４の如きテーブルを参照して、当該実アドレス対応の識別情報を取り出し、この識別情報と共に制御内容に対応する制御情報を作成して信号線２０へ通信部１３から送出する。各照明機器３０−１〜３０−ｎの制御部３１は、通信部３２を介して信号線２０に到来する識別情報を監視しており、自装置の識別情報が到来すると、これと共に送られてくる制御情報を取り込み、この制御情報に対応する制御を電力制御部３４に対し実行させる。
【００４３】
斯して、本実施例によれば、各照明機器３０−１〜３０−ｎの近くへ行き設定を行えば良く便利であり、アドレス設定器４０にて設定したテーブルを照明主操作盤１０に移行するので、照明主操作盤１０に設定されたアドレスと照明機器における識別情報の齟齬が生じる虞がなく、適切なアドレス設定を可能である。なお、アドレスは重複設定検出機能を用いて予め全て設定しておくように構成しても良く、係る場合には、実アドレスを表示させてこれに対応する照明機器の識別情報を受信して、設定すればよく極めて便利に設定作業を進めることができる。
【００４４】
＜実施例２＞
図６に、第２の実施例に係る照明制御システムの構成図を示す。この実施例では照明主操作盤１０Ａにおいて、ＣＰＵ１１にイーサネット等のＬＡＮ−ＩＦ（ＬＡＮインタフェース）１６を接続すると共に、メモリ１２には着脱可能メモリ領域１２Ａを持たない構成となっている。
【００４５】
一方、アドレス設定器４０Ａにおいて、着脱可能メモリ４３に代えてメモリ部４３Ａとイーサネット等のＬＡＮ−ＩＦ４６を備える。ＬＡＮ−ＩＦ１６とＬＡＮ−ＩＦ４６は、無線或いは有線のＬＡＮ２１により接続される。
【００４６】
アドレス設定器４０Ａにおいて、第１の実施例と同様にして完成されたテーブルをメモリ部４３Ａに記憶し、これを照明主操作盤１０Ａに移行させる場合には、例えば、入力部４４から指示を与えると、制御部４１はメモリ部４３Ａのテーブルを取り出しＬＡＮ−ＩＦ４６からＬＡＮ２１を介して送信する。
【００４７】
照明主操作盤１０Ａでは、ＬＡＮ−ＩＦ１６を介してＣＰＵ１１が送信されて到来するテーブルを受け取り、メモリ１２の所定領域にセットし、メモリ１２のデータに追加した状態とする。これ以降の処理は、第１の実施例と同様である。この実施例によっても第１の実施例と同様の効果を得ることができると共に、識別情報とアドレスとの対応テーブルをＬＡＮ２１を介して送ることができ便利である。
【００４８】
＜実施例３＞
本発明の第３の実施例に係る照明制御システムは、図１に示される構成を採用する。アドレス設定器４０では、アドレス記憶手段を構成する着脱可能メモリ４３には、同一の照明制御を行うグループを示すグループ情報を記憶可能であり、アドレス設定器４０の制御部４１は、入力部４４からの入力に応じて、所要の識別情報にグループ情報を設定して記憶する。この場合、第１の方式では、１つのグループに同一のアドレスを設定する。
【００４９】
図７に、制御部４１が行う処理のフローチャートを示す。この図７のフローチャートの処理は、図５に示した処理と基本的に同一のものであり、異なる処理部分のみを説明する。制御部４１からブロードキャスト通信によりアドレス設定指示情報を受けた照明機器３０−１〜３０−ｎの制御部３１は、可視光通信送信器３６を介して固有の識別情報を一定間隔で送信している。本実施例では、重複アドレスの設定を許容するため、ステップＳ１４において既に記憶されたアドレスとの重複設定を検出した場合に、重複設定であることについて確認を求める表示を行う（Ｓ１８）。この表示では、例えば、「入力されたアドレスが既に他の機器に設定されています。問題がなければ、『ＯＫ』を、問題があれば他のアドレスを入力して下さい。」などと確認の内容を表示部１５に表示する。あるいは、重複設定されているアドレスと識別情報とを対応付けたリストを上記メッセージと共に表示する。
【００５０】
上記の確認表示を行って、ステップＳ１８からステップＳ１６へ進みＯＫが入力されると、受信した照明機器の識別情報と入力された実アドレスとを対応付けて記憶し（Ｓ１７）、ＯＫ以外の情報（例えば、他の実アドレス等）が入力された場合には、ステップＳ１６からステップＳ１２へ戻って処理を続ける。
【００５１】
以上のように図７のフローチャートに対応する処理が行われ、例えば図８に示されるように、識別情報が「ＫＯ１２３」、「ＫＯ１３３」、「ＫＯ１４３」、「ＫＯ１５３」、「ＫＯ１６３」、「ＫＯ１７３」である照明機器に対し、同一のアドレス「＃０−１」が設定される。これら同一アドレスが設定された照明機器は、例えば同じ部屋や同じゾーンに設置されたものであり、一斉にオンオフなどを行う場合に同一のアドレス「＃０−１」である１グループにまとめられている。
【００５２】
そして、このような照明機器の識別情報と入力された実アドレスとが対応付けられたテーブルの情報が照明主操作盤１０へ設定され、照明主操作盤１０からアドレス「＃０−１」の照明機器を制御する場合には、上記テーブルを参照して当該アドレス「＃０−１」に対応する全ての識別情報と所望の照明制御情報が送られ、アドレス「＃０−１」が設定されている照明機器の全てがそれぞれの識別情報と同一の照明制御情報を受信することにより、同一の照明制御（オンオフなど）が行われる。
【００５３】
上記の通り、本実施例では、同一のグループに設定したい照明機器の直下などにおいてアドレス設定器４０を操作し、当該照明機器から個別の識別情報を受信して、この受信した識別情報に対し同一のアドレスを対応付けることで、容易に適切にグループ設定が行えるものである。
【００５４】
上記第１の方式では、１つのグループに同一のアドレスを設定するようにしたが、次に説明する第２の方式では、照明機器に個別アドレスとグループアドレスとを設定する。第２の方式を採用した場合には、アドレス設定器４０の操作入力部１４に、個別アドレス設定モードとグループアドレス設定モードとの選択を行うためのモード選択キーが備えられる。モード選択キーによって個別アドレス設定モードが選択された場合には、既に説明した図５に示すフローチャートに対応する処理が行われる。
【００５５】
一方、モード選択キーによってグループアドレス設定モードが選択された場合には、制御部４１は図９のフローチャートに対応する処理を行う。まず、グループアドレス設定モードの選択に応じて、グループアドレスの入力を促す表示を表示部１６に行い、入力されたグループアドレスを保持すると共にグループアドレスを表示する（Ｓ２１）。
【００５６】
ステップＳ２１の例えば前に、制御部４１からブロードキャスト通信によりアドレス設定指示情報を受けた照明機器３０−１〜３０−ｎの制御部３１は、可視光通信送信器３６を介して固有の識別情報を一定間隔で送信している。オペレータがアドレス設定器４０を持って所要の照明機器の直下等へ赴き、この照明機器から識別情報を受信可能とすると、可視光通信受信器４２を介して識別情報を取り込み、制御部４１は先に入力されたグループアドレスとこの識別情報を対応付けてリスト化して表示し（Ｓ２２）、対応付けが適切の場合には「ＯＫ」の入力を、不適切である場合には「ＮＧ」の入力を行うように要請するメッセージを表示部４５へ表示する（Ｓ２３）。
【００５７】
ステップＳ２３に次いで、要請に対する入力が「ＯＫ」または「ＮＧ」であるかを検出して（Ｓ２４）、「ＮＧ」が入力された場合には再びステップＳ２１へ戻って処理を行う。一方、ステップＳ２４において入力が「ＯＫ」であることを検出すると、リストの情報を着脱可能メモリ４３に記憶する共に「終了」するか「次の照明機器」の設定を行うかを問い合わせるメッセージを表示し（Ｓ２５）、「終了」の入力がなされるか「次の設定」の入力がなされるかを検出する（Ｓ２６）。
【００５８】
ステップＳ２６において「次の照明機器」の設定を行う選択が行われたことが検出されると、ステップＳ２２へ戻って処理を行う。このようにして一つの部屋や所定のゾーンに設置された照明機器について１つのグループアドレスに対応して識別情報が対応付けられてゆく。所望の照明機器についてグループアドレスが設定されると、「終了」が選択され、ステップＳ２６においてＹＥＳへ分岐してエンドとなる。
【００５９】
この第２の方式によって設定された個別アドレス及びグループアドレスと、識別情報を対応付けたメモリテーブルを図１０に示す。識別情報が「ＫＯ１２３」、「ＫＯ１３３」、「ＫＯ１４３」、「ＫＯ１５３」、「ＫＯ１６３」、「ＫＯ１７３」である照明機器に対し、同一のグループアドレス「＃Ｇ１−１」が設定されている。一方において、個別アドレスは異なるものが設定されている。
【００６０】
第２の方式では、上記のようにしてアドレス設定器４０に記憶された個別アドレス及びグループアドレスと、識別情報を照明主操作盤１０へ設定する。照明主操作盤１０からグループに対して照明制御を行う場合には、グループアドレスに対応する全ての識別情報を送信することにより行う。これに対し、個別アドレスに対応する識別情報を送信することにより個別の照明機器について照明制御を行うことも可能である。従って、グループアドレスを用いてある部屋やあるゾーンにおける全ての照明機器を一斉にオンとし、その後に個別アドレスを用いて上記でオンとして照明機器の中で所望のものだけを指定して調光制御やオフの照明制御を行うことが可能である。
【００６１】
なお、この第３の実施例では、図１に示す構成を前提として説明を行ったが、図６に示す構成を採用しても良いことは勿論である。
【００６２】
＜実施例４＞
本発明の第４の実施例に係る照明制御システムは、図１１に示される構成を採用する。照明主操作盤１０の構成は、図２により示されているものであり、照明機器３０−１〜３０−ｎの構成は、図３により示されているものである。この実施例では、リモコン操作装置５０とリモコン受信器６０とが備えられている。
【００６３】
リモコン受信器６０は、図１２に示されているように可視光通信受信部６１と有線送信部６２とを備え、可視光通信受信部６１により受信した情報を有線送信部６２を介して有線通信によって照明主操作盤１０へ送信するものである。
【００６４】
リモコン操作装置５０は、プロセッサである制御部５１を有し、制御部５１に入力部５２、表示部５３、可視光通信受信部５４、可視光通信送信部５５、メモリ部５６が接続された構成を有している。入力部５２は各種の情報やコマンドを入力するためのキーを有するものである。表示部５３は、ＬＣＤなどにより構成され、情報の表示を行うものである。可視光通信受信部５４は、受光素子を含み、可視光通信により情報の受信を行うものである。可視光通信送信部５５は、発光素子を含み、可視光通信により情報の送信を行うものである。メモリ部５６は、制御部５１が用いるプログラムやデータを記憶するものであり、ワーキングメモリを含んでいる。リモコン操作装置５０は、照明主操作盤１０に照明機器３０−１〜３０−ｎ（少なくとも、該当の照明機器）について、アドレスと識別情報とが対応付けられて記憶されている場合にも用いられる。
【００６５】
制御部５１は、図１３に示されるフローチャートに対応する処理を行う。この図１３におけるリモコン設定モードとなる前に、制御部４１からブロードキャスト通信によりアドレス設定指示情報を受けた照明機器３０−１〜３０−ｎの制御部３１は、可視光通信送信器３６を介して固有の識別情報を一定間隔で送信している。入力部５２からリモコン設定モードの指示を受けてリモコン設定モードを開始する（Ｓ３１）。
【００６６】
オペレータがリモコン操作装置５０を持って所要の照明機器の直下等へ赴き、この照明機器から識別情報を受信可能とすると、可視光通信受信器５４を介して識別情報を取り込み、これを表示して設定するかの問い合わせメッセージを表示部５３に表示する（Ｓ３２）。これに対し入力が行われ、この入力内容を検出する（Ｓ３３）。「取消」が入力されると処理を終了し、「設定」が入力されると、当該リモコン操作装置５０の制御対象として、上記で取り込んだ識別番号情報をメモリ部５６に記憶して（Ｓ３４）エンドとなる。
【００６７】
制御部５１は、更に図１４に示されるフローチャートに対応する処理を行う。入力部５２からリモコン操作モードの指示を受けてリモコン操作モードを開始する（Ｓ４１）。入力部５２からオンオフや調光レベルなどの照明制御情報が入力されると、これを受け付け表示部５３に表示し（Ｓ４２）、送信指示を求めるメッセージを表示部５３に表示する（Ｓ４３）。これに対し、入力が行われ、この入力内容を検出する（Ｓ４４）。「取消」が入力されると処理を終了し、「送信」が入力されると、メモリ部５６に記憶してある当該リモコン操作装置５０の制御対象を示す識別情報と共に上記照明制御情報を可視光通信送信部５５から送信して（Ｓ４５）、エンドとなる。
【００６８】
可視光通信送信部５５から送信された識別情報と照明制御情報は、リモコン受信器６０の可視光通信受信部６１により受信され、可視光による情報が有線送信部６２を介して有線通信による情報として照明主操作盤１０へ送信される。
【００６９】
照明主操作盤１０は図１５のフローチャートに示すように、識別情報及び照明制御情報を受け取り（Ｓ５１）、受け取った識別情報及び他の識別情報が同じ実アドレスまたはグループアドレスと対応付けられて記憶されているか、すなわち、受け取った識別情報に対応するアドレスが重複設定されているか調べ（Ｓ５２）、結果を判定し（Ｓ５３）、重複設定の場合には同じアドレスに対応付けられている全ての識別情報を取り出し、これらと上記で送信されてきた照明制御情報を信号線２０へ送信する（Ｓ５４）。これにより、１グループの照明機器を当該照明制御情報によって制御することができる。
【００７０】
一方、ステップＳ５２においてＮＯへ分岐すると、受け取った識別情報と照明制御情報を信号線２０へ送信する（Ｓ５５）。これにより、個別の照明機器を当該照明制御情報によって制御することができる。以上のように、本実施例のリモコン操作装置５０は、実際に制御対象とする照明機器の真下などにおいて、設定作業を行うことにより当該照明機器の識別情報を知らなくとも所望の照明機器を制御対象とするリモコン操作装置５０を作成することができる。
【００７１】
なお、上記では個別アドレスとグループアドレスを設定しない例（図８のように設定が行われる例）を前提としたが、個別アドレスとグループアドレスを設定する場合にあっては、図１５のフローの処理に代えて図１６に示されるフローチャートに対応する処理を行う。図１６ではステップＳ４２Ａにおいて、入力部５２からオンオフや調光レベルなどの照明制御情報と共に個別制御かグループ制御かの区分を示す制御情報を入力し、この区分情報を照明制御情報と共に照明主操作盤１０へ送るようにする。照明主操作盤１０は、個別制御かグループ制御かを示す区分情報に基づき識別情報を得て、得られた識別情報及び照明制御情報を送出する。これにより、個別アドレスの設定とグループアドレスの設定がなされた場合にも、実際に制御対象とする照明機器の真下などにおいて、設定作業を行うことにより当該照明機器の識別情報を知らなくとも所望の照明機器を制御対象とするリモコン操作装置５０を作成することができる。なお、このシステムでは、図１のアドレス設定器４０、図６のアドレス設定器４０Ａを備えることが可能である。
【００７２】
＜実施例５＞
本発明の第５の実施例に係る照明制御システムは、図１７に示される構成を採用する。照明主操作盤１０Ａの構成は、図６により示されているものであり、照明機器３０−１〜３０−ｎの構成は、図３により示されているものである。この実施例では、第４の実施例と同じリモコン受信器６０を備えている。リモコン操作装置５０Ａは、第２の実施例に示したアドレス設定器４０Ａの構成と第４の実施例のリモコン操作装置５０とを合体させた構成及び機能を備える。
【００７３】
従って、制御部５１Ａ、可視光通信受信部４２、メモリ部５６Ａ、入力部４４、表示部４５、ＬＡＮ−ＩＦ４６により、図６に示したアドレス設定器４０Ａとして機能する。また、制御部５１Ａ、可視光通信受信部４２、メモリ部５６Ａ、入力部４４、表示部４５、可視光通信送信部５５によって、図１０に示したリモコン操作装置５０として機能する。
【００７４】
このため、リモコン操作装置５０Ａを用いてアドレス設定器４０Ａとして機能させて、照明主操作盤１０Ａに、照明機器３０−１〜３０−ｎの識別情報とアドレスとを対応付けたテーブルの情報を送ってセットすることができる。照明機器３０−１〜３０−ｎの一部または全部の識別情報とアドレスとをテーブル化してテーブルの情報を送ってセットした段階で、リモコン操作装置５０Ａをリモコン操作装置５０として用いることができる。従って、リモコン操作装置５０Ａをリモコン操作装置５０として用いることで、個別アドレスの設定とグループアドレスの設定がなされた場合などにも、設定が正しいものであるかを検査することが可能である。
【００７５】
この実施例では、リモコン操作装置５０Ａをアドレス設定器４０Ａとして機能させることができる。また、照明機器３０−１〜３０−ｎの識別情報とアドレスとを対応付けたテーブルを備えている。そこで、リモコン操作装置５０Ａをリモコン操作装置５０として用いる場合に、可視光通信受信部４２から受信した識別情報に対応するアドレスを上記テーブルから求め、これと照明制御情報を可視光通信送信部５５から送るようにしても良い。係る構成を採用することにより、リモコン操作装置５０Ａをアドレス設定器４０Ａとして機能させたときのアドレス設定が適切であるかを確認することが可能となる効果がある。
【００７６】
この実施例の構成では、ＬＡＮ−ＩＦ４６により、照明主操作盤１０Ａに、照明機器３０−１〜３０−ｎの識別情報とアドレスとを対応付けたテーブルの情報を送ってセットするものとしたが、ＬＡＮ−ＩＦ４６を持たない構成とし、可視光通信送信部５５から上記テーブルの情報を送ってセットするようにすることもできる。更に、ＬＡＮ−ＩＦ４６を持たない構成とし、メモリ部５６Ａの一部を図１に示した着脱可能メモリ４３として、着脱可能メモリ４３を着脱メモリ領域１２Ａにセットする構成を採用しても良い。この場合に、着脱可能メモリ４３の内容をメモリ部５６Ａに残すようにして、リモコン操作装置５０Ａをリモコン操作装置５０として用いる場合に、可視光通信受信部４２から受信した識別情報に対応するアドレスを上記テーブルから求め、これと照明制御情報を可視光通信送信部５５から送るようにしても良い。
【図面の簡単な説明】
【００７７】
【図１】本発明の照明制御システムに係る第１の実施例を示す構成図。
【図２】本発明の照明制御システムに係る第１の実施例を構成する照明主操作盤の構成図。
【図３】本発明の照明制御システムに係る実施例を構成する照明機器の構成図。
【図４】本発明の照明制御システムに係る実施例により作成された識別情報とアドレスとの対応テーブルの内容例を示す図。
【図５】本発明の照明制御システムに係る実施例を構成するアドレス設定器の動作を説明するためのフローチャート。
【図６】本発明の照明制御システムに係る第２の実施例を示す構成図。
【図７】本発明の照明制御システムに係る第３の実施例を構成するアドレス設定器の動作を説明するためのフローチャート。
【図８】本発明の照明制御システムに係る第３の実施例により作成された識別情報とアドレスとの対応テーブルの内容例を示す図。
【図９】本発明の照明制御システムに係る第３の実施例を構成するアドレス設定器の変形例の動作を説明するためのフローチャート。
【図１０】本発明の照明制御システムに係る第３の実施例を構成するアドレス設定器の変形例により作成された識別情報とアドレスとの対応テーブルの内容例を示す図。
【図１１】本発明の照明制御システムに係る第４の実施例を示す構成図。
【図１２】本発明の照明制御システムに係る第４の実施例における要部構成を示すブロック図。
【図１３】本発明の照明制御システムに係る第４の実施例を構成するリモコン操作装置の動作を説明するためのフローチャート。
【図１４】本発明の照明制御システムに係る第４の実施例を構成するリモコン操作装置の動作を説明するためのフローチャート。
【図１５】本発明の照明制御システムに係る第４の実施例を構成するリモコン操作装置の動作に対応する照明主操作盤の動作を説明するためのフローチャート。
【図１６】本発明の照明制御システムに係る第４の実施例を構成するリモコン操作装置の変形例の動作を説明するためのフローチャート。
【図１７】本発明の照明制御システムに係る第５の実施例を示す構成図。
【符号の説明】
【００７８】
１０、１０Ａ  照明主操作盤 
１１  ＣＰＵ 
１２  メモリ 
１３、３２  通信部 
１４  操作入力部 
１５、４５  表示部 
１６、４６  ＬＡＮ−ＩＦ 
２０  信号線 
２１  ＬＡＮ 
３０−１〜３０−ｎ  照明機器 
３１、４１  制御部 
３３  照明負荷部 
３４  電力制御部 
３６  可視光通信送信器 
４０、４０Ａ  アドレス設定器
４１  制御部
４２  可視光通信受信器
４３  着脱可能メモリ
４３Ａ  メモリ部
４４  入力部
４５  表示部
５０、５０Ａ  リモコン操作装置
５１、５１Ａ  制御部
５２  入力部
５３  表示部
５４  可視光通信受信部
５５  可視光通信送信部
５６、５６Ａ  メモリ部
６０  リモコン受信器
６１  可視光通信受信部
６２  有線送信部
【図１】
2008160787.tif 000003
【図２】
2008160787.tif 000004
【図３】
2008160787.tif 000005
【図４】
2008160787.tif 000006
【図５】
2008160787.tif 000007
【図６】
2008160787.tif 000008
【図７】
2008160787.tif 000009
【図８】
2008160787.tif 000010
【図９】
2008160787.tif 000011
【図１０】
2008160787.tif 000012
【図１１】
2008160787.tif 000013
【図１２】
2008160787.tif 000014
【図１３】
2008160787.tif 000015
【図１４】
2008160787.tif 000016
【図１５】
2008160787.tif 000017
【図１６】
2008160787.tif 000018
【図１７】
2008160787.tif 000019